Podtech/llm-jp-corpus-v4-ja_patent huggingface dataset:
(57)【要約】      （修正有）【課題】調理時に使用されないまま残されたバラの棒状乾麺を、次回の調理時まで衛生的な、かつ、好ましい状態で保管することができる包装袋を提供する。【解決手段】一食分の棒状乾麺を内袋内に封入し、該棒状乾麺を封入した複数の内袋を外側包装体内に封入したことを特徴とする棒状乾麺。該外側包装体は外袋又は外箱である。内袋３は、好ましくは透明とし、一例としてポリエチレン等の合成樹脂により形成する。内袋３は、該内袋３の開封を容易ならしめるために、好ましくは一端縁に切欠部５を備えさせる。外袋は、好ましくは透明とし、一例としてポリエチレン等の合成樹脂により形成する。外袋は、該外袋の開封を容易ならしめるために、好ましくは一端縁に切欠部を備えさせる。外箱には、好ましくは、該外箱の開封を容易ならしめるために、弱め線を備えさせる。【選択図】図１
0003155363.tif 000002
【実用新案登録請求の範囲】
【請求項１】
一食分の棒状乾麺を内袋内に封入し、該棒状乾麺を封入した複数の内袋を外側包装体内に封入したことを特徴とする棒状乾麺。
【請求項２】
前記外側包装体は外袋であることを特徴とする請求項１に記載の棒状乾麺。
【請求項３】
前記外側包装体は外箱であることを特徴とする請求項１に記載の棒状乾麺。
【考案の詳細な説明】
【技術分野】
【０００１】
本考案は、棒状乾麺に関するものである。
【０００２】
棒状乾麺は、乾燥させた棒状の麺類であり、該麺類には、例えば、スパゲッティ等のパスタ、素麺、冷麦、うどん、そば、ラーメン等が含まれる。
【背景技術】
【０００３】
棒状乾麺１は、一般に、図７に示すように、所定数量毎に結束帯２により結束され、このように結束された複数束の棒状乾麺が包装袋ないし包装箱に封入されている。
【０００４】
実開平１−１３７１８１号公報は、結束帯により結束された棒状乾麺を開示している。
【先行技術文献】
【特許文献】
【０００５】
【特許文献１】実開平１−１３７１８１号公報
【考案の概要】
【考案が解決しようとする課題】
【０００６】
所定数量毎に結束帯により結束された棒状乾麺は、必要数の束を包装袋ないし包装箱から取り出し、結束帯を破棄して使用される。しかして、一回の食事用に調理すべき棒状乾麺の必要量は、食する人により、食する人数により、或いは食事の状況その他の事情により、種々に異なるものである。
【０００７】
したがって、仮に各結束帯により結束される１束の棒状乾麺の量を平均的な一食分ないし一人前に相当する量に定めたときでも、実際の調理時には結束帯が破棄されたバラの棒状乾麺が使用されることなく残ることが多い。
【０００８】
調理時に使用されないまま残されたバラの棒状乾麺は、次回の調理時まで衛生的な、かつ、好ましい状態で保管するができない。
【０００９】
このような状況に鑑み、本考案は、調理時に使用されないまま残されたバラの棒状乾麺を、次回の調理時まで衛生的な、かつ、好ましい状態で保管することができるようにしようとしてなされたものである。
【課題を解決するための手段】
【００１０】
上記課題を解決するために、本考案は、下記の棒状乾麺を提供するものである。
【００１１】
（１）一食分の棒状乾麺を内袋内に封入し、該棒状乾麺を封入した複数の内袋を外側包装体内に封入したことを特徴とする棒状乾麺（請求項１）。
【００１２】
（２）前記外側包装体は外袋である（請求項２）。
【００１３】
（３）前記外側包装体は外箱である（請求項３）。
【考案の効果】
【００１４】
本考案によれば、一食分の棒状乾麺を内袋内に封入し、該棒状乾麺を封入した複数の内袋を外側包装体内に封入するようにしたため、仮に、調理時に内袋内に未使用の棒状乾麺が残ったときでも、該内袋の開口を閉じることにより、該内袋内の未使用の棒状乾麺を次回の調理時まで衛生的な、かつ、好ましい状態で保管することができる。
【００１５】
また、一食分の棒状乾麺を封入した内袋を外側包装体から取り出し、一食分の棒状乾麺を封入した内袋をそのまま店頭に陳列し、各別に販売することもできる。
【図面の簡単な説明】
【００１６】
【図１】図１は、棒状乾麺を封入した内袋を示す平面図である。
【図２】図２は、図１のＩＩ−ＩＩ線における断面図である。
【図３】図３は、棒状乾麺を封入した複数の内袋を外袋内に封入した状態を示す平面図である。
【図４】図４は、図３のＩＶ−ＩＶ線における断面図である。
【図５】図５は、棒状乾麺を封入した複数の内袋を外箱内に封入した状態を示す斜視図である。
【図６】図６は、図５のＶＩ−ＶＩ線における断面図である。
【図７】図７は、結束帯により結束された棒状乾麺を示す斜視図である。
【考案を実施するための形態】
【００１７】
符号３に示すものは内袋である。
【００１８】
内袋３は、好ましくは透明とし、一例としてポリエチレン等の合成樹脂により形成する。
【００１９】
内袋３は、一例として細長筒状体とし、一食分の棒状乾麺１を密封し得るようになす。
【００２０】
一食分の棒状乾麺１とは、一人前に相当する分量の棒状乾麺１を意味する。棒状乾麺１がスパゲッティである場合には、一食分の棒状乾麺１は、一例として、１００グラムとする。
【００２１】
内袋３は、該内袋３の開封を容易ならしめるために、好ましくは一端縁に切欠部５を備えさせる。
【００２２】
一食分の棒状乾麺１を封入した複数の内袋３、３・・・を外側包装体７内に封入する。
【００２３】
外側包装体７としては、好ましくは、外袋７ａ又は外箱７ｂを使用する。
【００２４】
外袋７ａは、好ましくは透明とし、一例としてポリエチレン等の合成樹脂により形成する。
【００２５】
外袋７ａは、一例として細長筒状体とし、一食分の棒状乾麺１を封入した複数の内袋３、３・・・を密封し得るようになす。
【００２６】
外袋７ａは、該外袋７ａの開封を容易ならしめるために、好ましくは一端縁に切欠部９を備えさせる。
【００２７】
外箱７ｂは、一例として紙箱とし、一食分の棒状乾麺１を封入した複数の内袋３、３・・・を密封し得るようになす。
【００２８】
外箱７ｂには、好ましくは透明なポリエチレン等の合成樹脂により形成したフィルム１１ａを張設した覗き窓１１を備えさせる。覗き窓１１は外箱７ｂ内に封入された内袋３が外部から見えるようにするものである。
【００２９】
外箱７ｂには、好ましくは、該外箱７ｂの開封を容易ならしめるために、弱め線１３を備えさせる。
【符号の説明】
【００３０】
１  棒状乾麺
２  結束帯
３  内袋
５  切欠部
７  外側包装体
７ａ  外袋
７ｂ  外箱
９  切欠部
１１  覗き窓
１１ａ  フィルム
１３  弱め線
【図１】
0003155363.tif 000003
【図２】
0003155363.tif 000004
【図３】
0003155363.tif 000005
【図４】
0003155363.tif 000006
【図５】
0003155363.tif 000007
【図６】
0003155363.tif 000008
【図７】
0003155363.tif 000009
(57)【要約】【課題】  自動車等の車両の空調装置から送出される調温空気を車両室内へ吐出するために、内装部材の内側に配設される車両用空気ダクトにおいて、遮音性の著しい向上により、車両室内への騒音の漏れを防止して空調運転の低騒音化を図る。【解決手段】  断熱性、吸音性を備えた発泡樹脂層２の内周面と外周面に気密性、剛性を備えた未発泡合成樹脂層３、４を積層した外皮で、多層ブロー成形手段により所定の中空形状体に一体成形したことを特徴とする車両用空気ダクト。【選択図】  図２
0003155325.tif 000002
【実用新案登録請求の範囲】
【請求項１】
自動車等の車両の空調装置から送出される調温空気を車両室内へ吐出するために、内装部材の内側に配設される車両用空気ダクトにおいて、
断熱性、吸音性を備えた発泡樹脂層２の内周面と外周面に気密性、剛性を備えた未発泡合成樹脂層３、４を積層した外皮で、多層ブロー成形手段により所定の中空形状体に一体成形したことを特徴とする車両用空気ダクト。
【考案の詳細な説明】
【技術分野】
【０００１】
この考案は、自動車等の車両において、室内空調のために内装部材の内側に配設される車両用空気ダクトに関するものである。
【背景技術】
【０００２】
自動車を始めとする車両の室内空調のための部材として、空調装置から送出される調温空気を吐出口へ導き、これを車両室内へ吐出するために、インストルメントパネル等の内装部材の内側に空気ダクトが配設される。一般に、この空気ダクトは、ポリエチレン等の樹脂素材をブロー成形し、配設路に対応した異形断面を有する所定の中空形状体に形成される。
【０００３】
かかる車両用空気ダクトにおいて、その外皮が比較的薄肉に形成されるため、調温空気が流通するダクト内とダクト外との温度差で、ダクト表面に結露を生じる不具合がある。この結露の発生を防止するために、発泡ウレタン等の発泡体シートを空気ダクトの外周面に巻き付け、貼着し、所定の断熱性を備えた発泡体シートで空気ダクトを被覆する手段が取られている。しかし、車両用空気ダクトは、内装部材の内側に納められる各種の車両装備品の間を通して配設するために、その外形形状が屈曲面が連続した複雑な３次元形状となり、配設位置に応じてそれぞれ形状も異なることから、上記の発泡体シートの被覆作業は自動化が困難で手作業で行われ、その作業が極めて煩雑である。したがって、著しく作業性、生産性に劣り、結露防止機能を備えた空気ダクトの製作コストが高価である。
【０００４】
これに対して、特願２００５−１８６２２号公報に示すように、気密性、剛性を備えた未発泡合成樹脂層と、断熱性を備えた発泡樹脂層とを積層した外皮で、所定の中空形状体に一体成形した車両用空気ダクトも提案されている。これは、多層ブロー成形手段により、未発泡合成樹脂層と発泡樹脂層とを積層した外皮で、所定の中空形状体に一体成形することで、従来の発泡体シートの被覆作業を一切不要とし、製作コストの低減を図ることを目的としたものである。
【先行技術文献】
【特許文献】
【０００５】
【特許文献１】特願２００５−１８６２２号公報
【考案の概要】
【考案が解決しようとする課題】
【０００６】
このようにして、未発泡合成樹脂層と発泡樹脂層とを積層した外皮で一体成形した車両用空気ダクトは、結露防止の機能は認められるものの、ブロワーの運転音や気流の乱れによる騒音の漏れ防止が完全ではなく、遮音性に課題がある。
【０００７】
この考案は、こうした課題を解決することを目的とするもので、遮音性の著しい向上により、車両室内への騒音の漏れを防止して空調運転の低騒音化を図るとともに、性能の向上を図った車両用空気ダクトを提案するものである。
【課題を解決するための手段】
【０００８】
上記の目的を達成するため、この考案は、自動車等の車両の空調装置から送出される調温空気を車両室内へ吐出するために、内装部材の内側に配設される車両用空気ダクトにおいて、断熱性、吸音性を備えた発泡樹脂層２の内周面と外周面に気密性、剛性を備えた未発泡合成樹脂層３、４を積層した外皮で、多層ブロー成形手段により所定の中空形状体に一体成形したことを特徴とするものである。
【考案の効果】
【０００９】
この考案の車両用空気ダクトは、断熱性、吸音性を備えた発泡樹脂層２の内周面と外周面に気密性、剛性を備えた未発泡合成樹脂層３、４を積層した外皮で、所定の中空形状体に一体成形するもので、音の吸音材である発泡樹脂層２の表裏を音の反射材である未発泡合成樹脂層３、４で挟んだ３層構造で外皮が形成される。その結果、遮音性の著しい向上が図られ、空調装置のブロワーの運転音や気流の乱れによる騒音が車両室内へ漏れることが防止され、空調運転の低騒音化、無音化を実現することができる。
【００１０】
また、発泡樹脂層２が所定の断熱性を備えているので、空調装置から送出される調温空気が流通するダクト内とダクト外との温度差による結露の発生を防止することができ、従来の発泡体シートの被覆作業が一切不要となり、生産性に優れ、製作コストの大幅な低減を図ることができる。
【図面の簡単な説明】
【００１１】
【図１】この考案の実施例で、空気ダクトの全体の斜視図。
【図２】図１中Ａ−Ａ線で切断した拡大端面図。
【考案を実施するための形態】
【００１２】
以下にこの考案の実施形態について、図面を用いて具体的に説明する。
図１及び２はこの発明の車両用空気ダクトの実施例で、図１に空気ダクト１の全体を示し、図２に空気ダクト１を切断した端面を示す。図１に示すように、内装部材の内側に配設される空気ダクト１は、配設路に対応した異形断面を有する所定の中空形状体に形成されている。
【００１３】
この空気ダクト１は、多層ブロー成形手段により形成され、断熱性、吸音性を備えた発泡樹脂層２の内周面と外周面に気密性、剛性を備えた未発泡合成樹脂層３、４を積層した外皮で一体成形されている。図２に示すように、空気ダクト１は、発泡樹脂層２の表裏を未発泡合成樹脂層３、４で挟んだ３層構造で外皮が形成され、剛性に優れるとともに、音の吸音材で発泡樹脂層２の表裏を音の反射材である未発泡合成樹脂層３、４で挟んだ遮音性に優れた多層構造となっている。
【００１４】
この車両用空気ダクトは真空ブロー成形手段で成形することが好ましい。真空ブロー成形手段により低圧のブロー圧で発泡樹脂層２を成形し、発泡樹脂層２の発泡倍率の高倍率化が図られ、その断熱性、吸音性の向上を図ることができる。
【符号の説明】
【００１５】
２  発泡樹脂層
３  未発泡合成樹脂層
４  未発泡合成樹脂層
【図１】
0003155325.tif 000003
【図２】
0003155325.tif 000004
(57)【要約】【課題】  僅かな光を効果的に反射して、老人などの視力の弱い人がぶつかってしまうといった事態を未然に防止することのできる壁構造を提供する。【解決手段】  赤土等の壁基材上に塗った壁表面層２に対して、重量比１／１０％〜１／１０００％で、かつ、粒径５ｍｍ以下の水晶粒子３を混在させる。壁表面層２を、珪藻土で構成する。壁表面層２の表面に露出した水晶粒子３が、太陽光や電灯光を効果的に反射して、視力の弱い人でも壁構造１を容易に視覚することができ、安全である。【選択図】    図２
0003155326.tif 000002
【実用新案登録請求の範囲】
【請求項１】
壁表面層（２）を珪藻土で構成し、該壁表面層（２）に対して、重量比１／１０％〜１／１０００％で、かつ、粒径5ｍｍ以下の水晶粒子（３）を混在させた壁構造。
【考案の詳細な説明】
【技術分野】
【０００１】
本考案は、薄暗い状況においても光を効果的に反射して、老人などの視力の弱い人にその存在を視覚させる機能を備えた壁構造に関するものである。
【背景技術】
【０００２】
建物を構成する壁には、赤土の上に珪藻土を塗った壁がある。この壁は空間を仕切ると共に、人を目的箇所まで案内するという目的を併せ持つ。
【考案の概要】
【考案が解決しようとする課題】
【０００３】
しかし、従来の壁は、光を効果的に反射するといった機能を持たないので、例えば、薄暮時などの薄暗い状況下では目立たず、従って、老人などの視力の弱い人が誤ってぶつかってしまい危険であるという問題がある。
【０００４】
本考案はこうした問題に鑑み創案されたもので、僅かな光を効果的に反射して、老人などの視力の弱い人がぶつかってしまうといった事態を未然に防止した安全性の高い壁構造を提供することを課題とする。
【課題を解決するための手段】
【０００５】
水晶は、外部から圧力を加えると電気を発生する電圧体である。その電圧性は水晶発振器として広く活用されており、一般的にはクオーツと呼ばれ、時計の心臓部として利用されている。また、一定の条件さえ整えば、１６００ｋｈｚの周波数を充て続けることにより、その誤差１／１０００００程度で振動し続ける。その他にも水晶の持つエネルギー波動と、人間がリラックスしている時の脳波が、非常に近い周波数であることから、人間の持つエネルギー波動と同調しやすい。水晶には全ての物を浄化する作用があり、実際に波長が合うと、接触したその瞬間にエネルギーを感じるという人もいる。本考案は、この水晶の粒子を壁表面に用いることによって、人の活力を向上させる効果もある。
【０００６】
請求項１に記載の壁構造１は、壁表面層２を珪藻土で構成して、該壁表面層２に対して、重量比１／１０％〜１／１０００％で、かつ、粒径５ｍｍ以下の水晶粒子３を混在させたことを特徴とする。
【考案の効果】
【０００７】
請求項１に記載の壁構造１は、壁表面層２に対して、重量比１／１０％〜１／１０００％で、かつ、粒径５ｍｍ以下の水晶粒子３を混在させたので、壁表面層２の表面に露出した水晶粒子３が、太陽光や電灯光を効果的に反射する。これにより、例えば、老人などの視力の弱い人でも壁構造１を容易に視覚することができるので、当該壁構造１にぶつかってしまうといった事態を未然に防止することができ、安全である。
【０００８】
なお、水晶粒子３の重量比を、壁表面層２に対して１／１０％〜１／１０００％に設定したので、その適当量を壁表面層２の表面に露出させることができる。ちなみに、１／１０％以上に設定すると、多量の水晶粒子３を使用する必要があるので壁構造１の製造コストが嵩むといった問題が発生する。また、１／１０００％以下に設定すると、壁構造１（壁表面層２）の表面に露出する水晶粒子３の数が少なくなるので、機能の点で問題がある。
【０００９】
また、水晶粒子３の粒径を５ｍｍ以下に設定したので、光を効果的に反射する機能を発揮しつつ、壁表面層２の強度を損なうことなく、壁表面層２に良好に混合させることができる。ちなみに、５ｍｍを超えると、壁表面層２の使用量が少なくなるので、強度が低下するといった問題が発生する。
【００１０】
なお、水晶粒子３は水晶を細かく粉砕したものであるが、水晶は細かく粉砕しても鋭角な角部を形成しないといった性質を有するので、壁表面層２の表面に露出させても安全である。
【００１１】
また、この壁構造１は、その形成材料を、珪藻土に水晶粒子３を混合することのみで製造することができるので、製造が容易であり、製造コストを廉価に抑えることができるといった利点を発揮する。
【図面の簡単な説明】
【００１２】
【図１】本考案に係る壁構造を使用した建物を示す一部破断正面図である。
【図２】図１に示す壁構造を示す要部断面図である。
【考案を実施するための形態】
【００１３】
本考案に係る壁構造１を、図１および図２に示す。この壁構造１は建物Ｂの内部を仕切るもので、壁表面層２である珪藻土に水晶粒子３を混合して形成したものである。水晶粒子３は、５ｍｍ目の篩を落下すると共に２ｍｍ目の篩上に残った粒径が２〜５ｍｍの水晶粒子であり、壁表面層２に対して重量比１／１００％程度としている。
【００１４】
この壁構造１は、壁表面層２に混合した水晶粒子３の適当量がその表面に露出して、窓Ｗから進入してくる太陽光や、室内の電灯光を効果的に反射する。これにより、例えば、老人などの視力の弱い人でも壁構造１を容易に視覚することができるので、当該壁構造１にぶつかってしまうといった事態を未然に防止することができ、安全である。
【００１５】
特に、夕方などの外が薄暗い時間帯や、室内の電灯が暗い場合などには、窓Ｗから進入してくる太陽光や、室内の電灯光を効果的に反射するので、視力の弱い人でも壁構造１を確実に視覚することができる。これにより、壁構造１にぶつかってしまうといった事態を防止することができる。
【００１６】
なお、本実施形態では、水晶粒子３の重量比を、壁表面層２に対して１／１００％程度に設定しているので、その適当量を壁表面層２の表面に露出させることができる。また、水晶粒子３の粒径を５ｍｍ以下に設定しているので、光を効果的に反射する機能を発揮しつつ、壁表面層２の強度を損なうことなく、良好に混合させることができる。また、水晶粒子３は角部が鋭角でないので、壁表面層２の表面から露出させても安全である。
【符号の説明】
【００１７】
１      壁構造
２      壁表面層
３      水晶粒子
Ｂ      建物
Ｗ      窓
【図１】
0003155326.tif 000003
【図２】
0003155326.tif 000004
(57)【要約】【課題】地面などに当たっても、箱体の損傷を防止し、緩和するトランクの箱フレーム構造。【解決手段】トランクの本体と蓋となる箱体１６の開口縁部を補強する上フレーム２０、下フレーム３０に一体成型の中空状の凸条２３、３３を設けて、その中空構造による緩衝空間２３０、３３０とし、凸条が上、下フレーム板片２１、３１から突出した構造によって、地面などにぶつかった際に凸条が衝撃を受けて箱体に直接ぶつかるのを防止し、更に緩衝空間によって箱体への衝撃力を緩和する。【選択図】図５
0003155328.tif 000002
【実用新案登録請求の範囲】
【請求項１】
トランクの箱フレーム構造において、
トランク箱体の開口縁部を囲う板片状の上フレーム、下フレームを設け、該上、下フレームの外周から突出する一体成型の中空状の凸条を設けて、該中空構造によって凸状内部に緩衝空間を形成し、
該凸条によって上、下フレームを補強すると共に、その突出した構造により、箱体が直接衝撃を受けるのを防止すると共に緩衝空間によって、衝撃力を緩和せしめることを特徴とするトランクの箱フレーム構造。
【考案の詳細な説明】
【技術分野】
【０００１】
本考案は、トランクの箱フレーム構造に関するもので、特に箱体が地面もしくはその他外物にぶつかった時、箱体を保護する效果を高める箱フレームに係わる。
【背景技術】
【０００２】
公知のトランクの箱フレーム構造は、およそ図１、２、３に示すとおり一対の半蓋が合わさる箱体１６で、蓋が合わさる縁には上フレーム１０、下フレーム１３が設けられる。
上、下フレーム１０、１３は板片１１、１４からなり、これらの上、下縁には細突条１２、１５が設けられる。細突条１２、１５によって板片１１、１４の強度を高め、板片１１、１４が凹んで変形しないようにしている。上述の周知構造は、しかしながら、次のような欠点がある。箱体１６が地面にぶつかるか、もしくはその他の物にぶつかった時、上、下フレーム１０、１３の板片１１、１４及びその細突条１２、１５はほぼ「平面」であるため、衝撃力が直接箱体１６に当たり、箱体を壊してしまう。
【先行技術文献】
【特許文献】
【０００３】
【特許文献１】特公平２−１６１２２号公報
【特許文献２】特開平４−３１４４０１号公報
【考案の概要】
【考案が解決しようとする課題】
【０００４】
解決しようとする問題点は、上、下フレーム１０、１３は衝撃力を受け止める効果を備えていない点である。
【課題を解決するための手段】
【０００５】
本考案は、行李箱の上フレーム、下フレームに一体成型の中空状の凸条を設けて緩衝空間を備え、凸条を上、下フレーム板片から突出させることによって、地面もしくはその他外物にぶつかった時、凸条が先ずぶつかり、箱体に直接ぶつかるのを防止し、凸条は緩衝空間によって箱体への衝撃力を減らすことを最も主要な特徴とする。
【考案の効果】
【０００６】
本考案のトランクの箱フレーム構造は、地面にぶつかった時、凸条が一番先に地面に当たり、箱体が直接地面にぶつかるのを防止し、凸条の緩衝空間によって、箱体への衝撃力を下げるという利点がある。
【図面の簡単な説明】
【０００７】
【図１】公知の構造局部立体図である。
【図２】公知の組み立てた箱体を開いた状態の断面図である。
【図３】公知の組み立てた箱体を閉じた状態の断面図である。
【図４】本考案の構造局部立体図である。
【図５】本考案の組み立てた箱体を開いた状態の断面図である。
【図６】本考案の組み立てた箱体を閉じた状態の断面図である。
【考案を実施するための形態】
【０００８】
本考案は、公知の箱体の欠点を改善し、上、下フレームに細突条を備える他に、中空状でＣ型に似た形状の凸条を設けて緩衝空間を形成する。凸条によって、上、下フレーム板片の耐久力、強度が高まり、且つ凸条は表面が突出するため、地面にぶつかった時、一番先に地面に当たり、箱体が直接地面にぶつかるのを防止し、凸条の緩衝空間によって、箱体への衝撃力を下げる。
【実施例】
【０００９】
図４、５、６は、一対の半蓋が合わさる箱体１６に上フレーム２０、下フレーム３０を設ける。上フレーム２０の板片２１上縁には細突条２２を備え、下縁には一体成型の中空状の凸条２３を設ける。中空凸条２３には緩衝空間２３０を形成し、下フレーム３０の板片３１の上、下縁には細突条３２を備え、下フレーム３０には一体成型の中空状の凸条３３を設ける。中空凸条３３には緩衝空間３３０を形成する。
【００１０】
上述の構造において、下述の長所を備える。
凸条２３、３３により、上、下フレーム２０、３０の板片２１、３１の耐久力、強度を高め、湾曲、陥没、変形しにくい。
【００１１】
凸条２３、３３は箱体１６の平面から突出しているため、箱体周面が地面にぶつかった時、凸条２３、３３が先ず地面に当たり、箱体が直接地面に当たるのを防止する効果がある。
【００１２】
凸条２３、３３は中空状で緩衝空間２３０、３３０を形成しているため、ぶつかった時、この緩衝空間２３０、３３０が衝撃力を吸収して直接箱体に作用する衝撃力を減らす效果を備える。
【００１３】
上述のとおり、本考案の構造は実用性に優れ、効果を高めるため、実用新案請求の条件に符合する。
【符号の説明】
【００１４】
１０        上フレーム
１１        板片
１２        細突条
１３        下フレーム
１４        板片
１５        細突条
１６        箱体
２０        上フレーム
２１        板片
２２        細突条
２３        凸条
２３０        緩衝空間
３０        下フレーム
３１        板片
３２        細突条
３３        凸条
３３０        緩衝空間
【図１】
0003155328.tif 000003
【図２】
0003155328.tif 000004
【図３】
0003155328.tif 000005
【図４】
0003155328.tif 000006
【図５】
0003155328.tif 000007
【図６】
0003155328.tif 000008
(57)【要約】      （修正有）【課題】鍬板に対してヒツ部分が折曲されることがない丈夫な鍬構造を提供する。【解決手段】鍬板１の上辺部に形成したヒツ２に、柄４の先端部を挿入することによって鍬板１に柄４を固定する鍬において、鍬板１と隣接するヒツ２の外側面２ａと鍬板１表面の間に、鍬板１とヒツ２の接合部分が折曲することによる角度変化を防止するステー部材３を設ける。ステー部材３は、板部材を折曲した稜線５の両側に三角形の傾斜側面６を形成し、稜線５の両側に形成される三角形の傾斜側面６の稜線５以外の一つの辺８をヒツ２の外側面２ａに、稜線５以外のもう一つの辺９を鍬板１表面に接合するのが好ましい。【選択図】図１
0003155335.tif 000002
【実用新案登録請求の範囲】
【請求項１】
鍬板の上辺部に形成したヒツに、柄の先端部を挿入することによって鍬板に柄を固定する鍬において、鍬板と隣接するヒツの外側面と鍬板表面の間に、鍬板とヒツの接合部分が折曲することによる角度変化を防止するステー部材を設けたことを特徴とする鍬。
【請求項２】
ヒツの外側面と鍬板表面の間に設けるステー部材は、板部材を折曲した稜線の両側に三角形の傾斜側面を形成し、該稜線の両側に形成される三角形の傾斜側面の稜線以外の一つの辺をヒツの外側面に、稜線以外のもう一つの辺を鍬板表面に接合したことを特徴とする請求項１記載の鍬。
【考案の詳細な説明】
【技術分野】
【０００１】
本考案は、主として農耕用の鍬であって、鍬板と柄を挿入固定するためのヒツ部分の構造に関する考案である。
【背景技術】
【０００２】
鍬には、鍬板の上辺部分に短筒状(主として角筒状)のヒツを形成し、このヒツに木柄を装着するものが、広く知られている。鍬板の形状は、平板状の平鍬や三本爪や四本爪の備中鍬などが知られているが、ヒツ部分の構造は共通である。
【先行技術文献】
【特許文献】
【０００３】
【特許文献１】特開２００２−１９９８０１号公報
【考案の概要】
【考案が解決しようとする課題】
【０００４】
従来の鍬は、短筒状に製造したヒツを、鍬板の上辺に溶接によって固定するのが一般的である。外観上、特許文献１の図１に見られるように形成される。
ヒツは、鍬板の一部を上辺に延長してこの部分を角筒に折曲形成し、鍬板と一体のヒツを形成するものもある。
いずれにしても、長寸法の柄をテコとして土起し作業などに使用するため、図７に矢印で示すように鍬板とヒツの間に大きな力が作用する。したがって、ヒツと鍬板とが折曲されてしまう可能性があるという欠点があった。
【０００５】
上記、従来技術の欠点に鑑み、本考案は鍬板に対してヒツ部分が折曲されることがないように補強し、従来技術の欠点を解消することを目的とするものである。
【考案の開示】
【課題を解決するための手段】
【０００６】
請求項１記載の考案は、鍬板１の上辺部に形成したヒツ２に、柄４の先端部を挿入することによって鍬板１に柄４を固定する鍬において、鍬板１と隣接するヒツ２の外側面2aと鍬板１表面の間に、鍬板１とヒツ２の接合部分が折曲することによる角度変化を防止するステー部材３を設けるものである。
【０００７】
請求項２記載の考案は、ヒツ２の外側面2aと鍬板１表面の間に設けるステー部材３の形状に関する。ステー部材３は、板部材を折曲した稜線５の両側に三角形の傾斜側面６、７を形成し、稜線５の両側に形成される三角形の傾斜側面６、７の稜線５以外の一つの辺８をヒツ２の外側面2aに、稜線５以外のもう一つの辺９を鍬板１表面に接合することである。
【考案の効果】
【０００８】
請求項１記載の考案によれば、土起し作業中に、例えば硬い耕土を掘り起こす場合に、長寸法の柄４をテコとして作業を行うことによって、ヒツ２と鍬板１の接合部分に大きな力が作用することがあっても、ステー部材３の存在によってヒツ２と鍬板１の接合部分が折曲されるのを防止することができる。
【０００９】
請求項２記載の考案によれば、鍬板１の横幅方向の捩れ力に対しても二つの傾斜面６、７が支えあって変形を防止し、ヒツ２と鍬板１の接合強度を向上させることができる効果がある。
【図面の簡単な説明】
【００１０】
【図１】図１は本考案に係る鍬の斜視図、
【図２】図２は本考案に係る鍬の正面図、
【図３】図３は図２のIII−III線断面図、
【図４】図４は図２のIV−IV線断面図、
【図５】図５は本考案を備中鍬として実施した正面図、
【図６】図６は鍬板とヒツを一体に形成する場合の展開図、
【図７】図７は従来の鍬の縦断面図。
【考案を実施するための最良の形態】
【００１１】
以下、本考案に係る鍬の実施形態を添付の図面に基づいて説明する。
図１は、本考案を平鍬に応用した実施形態を示すもので、図２は正面図、図３は図２のIII−III線断面図である。
【００１２】
鍬は、鍛造などによって目的、用途に応じた形状に製造される鍬板１と、別の板材の折曲加工によって筒状、主として角筒状に形成されるヒツとで構成され、鍬板１の上辺に溶接によって接合する。もっとも、鍬板１とヒツ２を一体に形成するものもある。その場合、鍬板１の上辺にヒツ２の横幅に相当する連続部分11を介してヒツ２の高さに相当する幅の帯状部材10を形成しておき、この帯状部材10を折曲することによって筒状のヒツ２を完成させ、鍬板１との連続部分11を所定の角度に折曲する。このように、鍬板１の上辺部に形成したヒツ２に柄４の先端を嵌挿、固定することによって柄付きの鍬として完成し、使用に供する。
【００１３】
このとき、本考案に係る鍬は、鍬板１と隣接するヒツ２の外側面2aと鍬板１表面の間に、鍬板１とヒツ２の接合部分が折曲することによる角度変化を防止するステー部材３を設ける。ステー部材３は、平板の三角形のものであってもよいが、より強固な形状のステー部材とするのが好ましい。
【００１４】
より強固なステー部材とするには、図１や図３から理解されるように、ステー部材３を、板部材を折曲した状態のものとする。板部材を折曲した稜線５の両側に三角形の傾斜側面６、７を形成し、稜線５の両側に形成される三角形の傾斜側面６、７の稜線５以外の一つの辺８をヒツ２の外側面2aに、稜線５以外のもう一つの辺９を鍬板１表面に接合する。  この構造は、図４に示すように鍬板の幅方向の断面において三角形断面が形成され、図４において矢印で示すように、鍬板１に捻る方向の力が作用しても、左右の傾斜面が支えとなって強固に支持され、変形が防止される。
【００１５】
図５は、本考案を三本爪の備中に応用した実施形態を示す正面図である。図１や２に示す平鍬との違いは、鍬板の形状のみでありヒツ部分の構造は平鍬の場合と同じである。すなわち、三本の爪が形成された鍬板１の上辺にヒツ２を配置し、鍬板１とヒツ２の間に、図２に図示したものと同じステー部材３を配置している。
【符号の説明】
【００１６】
１…鍬板、  ２…ヒツ、  2a…外側面、  ３…ステー部材、  ４…柄、  ５…稜線、  ６、７…傾斜面、  ８、９…辺、  10…帯状部材、  11…連続部分。
【図１】
0003155335.tif 000003
【図２】
0003155335.tif 000004
【図３】
0003155335.tif 000005
【図４】
0003155335.tif 000006
【図５】
0003155335.tif 000007
【図６】
0003155335.tif 000008
【図７】
0003155335.tif 000009
(57)【要約】      （修正有）【課題】使用者の頭部のサイズが多少異なっても使用することが出来、動作時にも濫りに脱落する事は無いようにし、並びに需要者の好みに応じたデザインを表すことが出来る磁気ヘアーバンドを提供する。【解決手段】磁気ヘアーバンド１は伸縮性のある布地で長い筒状のカバー２を形成し、その側面適所に差込口４を設けると共に、磁性材で帯状に形成した磁気バンド３を前記カバー２内に装入し、カバー両端部を結合して環状に形成して該磁気ヘアーバンドを構成する。【選択図】図１
0003155389.tif 000002
【実用新案登録請求の範囲】
【請求項１】
伸縮性のある布地で長い筒状のカバーを形成し、その側面適所に差込口を設けると共に、磁性材で帯状に形成した磁気バンドを前記カバー内に装入し、カバー両端部を結合して環状に形成してなる磁気ヘアーバンド。
【考案の詳細な説明】
【技術分野】
【０００１】
本考案は、頭部に装着して磁気療法効果を得ることができるようにした磁気を有するヘアーバンドに関するものである。
【背景技術】
【０００２】
人体に磁気をあてることにより、その部位の血行を促す効果のある事は一般によく知られている。中でも頭部に磁気をあてることで脳梗塞や認知症の予防に役立たせる事が行われており、従来から頭部の磁気療法用品としては、Ｕ字状に形成したヘアーバンドの内側に磁石片を固定したものや、マグネットシートを貼付したもの等が知られている。
【０００３】
【特許文献１】実用新案登録第３０１９７６９号
【考案の開示】
【考案が解決しようとする課題】
【０００４】
しかし、上記従来品は磁石片が脱落したり、頭部に直接磁石部分が接触するので、装着部に違和感をもたらしていた。また、Ｕ字状に形成したヘアーバンドは使用者の動作時頭部から離脱しやすい難点もあった。
また、非装着時に磁石部が目立ちやすいため、一見して磁気療法用品とわかる物となり、体裁上も好ましくなかった。特にデザイン的に色々異なるものを所望される場合には適応できなかった。更にまた、構造上制作に手間取るという難点もあった。
【課題を解決するための手段】
【０００５】
上記課題を解決するために本考案に係るヘアーバンドは、伸縮性のある布地で長い筒状のカバーを形成し、その側面適所に差込口を設けると共に、磁性材で帯状に形成した磁気バンドを前記カバー内に装入し、カバー両端部を結合して環状に形成してなることを特徴とする。
【考案の効果】
【０００６】
本考案に係る磁気ヘアーバンドを使用すると磁気バンドの磁気作用によって、頭部の血液の循環を促進し、脳梗塞や認知症の予防に役立つものである。
而して、カバーは伸縮性の布地で形成されているので、磁気バンドの長さや幅に多少の差異があっても良く適合させる事が出来る。又布製カバーの表面には模様を表示しやすいので需要者の好みに応じたデザインを表すことにより商品価値を高める事ができる。又磁気バンドはカバーで被覆されているので、頭部に装着した場合、磁石部分が直接頭皮に接触する事がないので違和感をもたらす事がない。又、カバーの素材は伸縮性のある布地を使用し環状に形成しているため、頭部のサイズが多少異なっても使用することが出来、動作時にも濫りに脱落する事は無い。又、カバー側面には差込孔が設けてあるので所望のデザインのカバーと簡単に差し替えて使用することも出来る。
なお、本考案品は構成も簡単であって、制作上作業も容易である。
【考案を実施するための最良の形態】
【０００７】
伸縮性の布地で長い筒状に形成し両端部を結合して環状にしたカバー内に、帯状の磁気バンドを装入するようにしたことにより、所期の目的を果たす磁気ヘアーバンドを実現できた。
【実施例１】
【０００８】
以下、添付図面に従って本考案の実施例を詳説する。
図１乃至図３において符号１は本考案に係る磁気ヘアーバンドであって、頭部ａに適合する環状に形成したカバー２と磁性材で帯状に形成した磁気バンド３からなる。
前記カバー２は、伸縮性素材を使用した布地で長い筒状に形成し、その両端部を結合して頭部に嵌合するよう形成し、その内側面の適所に差込孔４を設けてある。前期磁気バンド３は金属製の磁石薄板、磁石粉を混入したゴム薄板又はプラスチック薄板等で形成したものであって、前記差込孔４からカバー２内に装入できるようにしてある。
【０００９】
又図４の実施例にしめすように、磁気バンド３とカバー２をほぼ同じ長さに形成し、カバー２内に磁気バンド３が丁度入るように形成して、磁気効果が頭部全周囲に及ぶようにする場合もある。
【産業上の利用可能性】
【００１０】
装着する頭部のサイズが異なってもよく適合でき、又使用者のデザイン的要望が種々異なる場合でもそれに適応しやすい構成の磁気ヘアーバンドを簡単な作業で製作する場合に利用できる。
【図面の簡単な説明】
【００１１】
【図１】本考案に係る磁気ヘアーバンドの斜視図である。
【図２】差込孔部分の端部断面図である。
【図３】頭部に装着した状態の斜視図である。
【図４】別実施例の斜視図である。
【符号の説明】
【００１２】
１    磁気ヘアーバンド
２    カバー
３    磁気バンド
４    差込孔
【図１】
0003155389.tif 000003
【図２】
0003155389.tif 000004
【図３】
0003155389.tif 000005
【図４】
0003155389.tif 000006
(57)【要約】      （修正有）【課題】運動とリハビリテーションの効果を有し、且つユーザの血行を加速する振動が発生するジョギング式振動機能付き健康機を提供する。【解決手段】内側面には、距離を置く支持ブロックが複数設けられ、各支持ブロックの上には、ゴムブロックが設けられ、ゴムブロックの上には、ジョギングプレート２０が設けられ、ジョギングプレート２０とゴムブロックと支持ブロックとを固定するフレーム１０と、伝動軸には、偏心ブロックが設けられ、固定片によりジョギングプレート２０の底面の中央に近接する箇所に固定されるモータと、モータの近傍に設けられ、ベルト７０を押上げることにより、ベルト７０とジョギングプレート２０との間にモータを組付けることができるロール６０と、を備える。【選択図】図１
0003155388.tif 000002
【実用新案登録請求の範囲】
【請求項１】
内側面には、距離を置く支持ブロックが複数設けられ、前記各支持ブロックの上には、ゴムブロックが設けられ、前記ゴムブロックの上には、ジョギングプレートが設けられ、前記ジョギングプレートと前記ゴムブロックと前記支持ブロックとを固定するフレームと、
伝動軸には、偏心ブロックが設けられ、固定片により前記ジョギングプレートの底面の中央に近接する箇所に固定されるモータと、
前記モータの近傍に設けられ、ベルトを備え、前記ベルトを押上げることにより、前記ベルトと前記ジョギングプレートとの間に前記モータを組付けることができるロールと、を備え、
前記モータが回転しているときには、前記偏心ブロックにより振動が発生し、上記の振動により、ジョギングしているユーザの体が刺激されて血行が良くなることを特徴とする、ジョギング式振動機能付き健康機。
【請求項２】
前記支持ブロックは、アーチ型を呈することを特徴とする、請求項１に記載のジョギング式振動機能付き健康機。
【考案の詳細な説明】
【技術分野】
【０００１】
本考案は、ジョギング式の健康機に係り、特に、振動機能を有するジョギング式振動機能付き健康機に関するものである。
【背景技術】
【０００２】
人体の正常な機能を保持するために、酸素および栄養分を運ぶ血液は極めて需要な存在であり、血行の速度が速いほど、人体の組織に運ばれる酸素および栄養分が多い。そうすると、人体の細胞が活性化され、人体が健康になる。逆に、血行の速度が遅いほど、人体の組織に運ばれる酸素および栄養分が少ない。そうすると、人体の細胞が老化し、人体が健康にならない。
【０００３】
従来のジョギング式健康機によれば、運動効果の達成が不完全であり、そして生産コストが高すぎるという問題があった。  
【考案の概要】
【考案が解決しようとする課題】
【０００４】
本考案の主な目的は、運動とリハビリテーションとの効果を有し、且つユーザの血行を加速する振動が発生するジョギング式振動機能付き健康機を提供することにある。
【課題を解決するための手段】
【０００５】
本考案の請求項１に記載のジョギング式振動機能付き健康機によると、内側面には、距離を置く支持ブロックが複数設けられ、各支持ブロックの上には、ゴムブロックが設けられ、ゴムブロックの上には、ジョギングプレートが設けられ、ジョギングプレートとゴムブロックと支持ブロックとを固定するフレームと、伝動軸には、偏心ブロックが設けられ、固定片によりジョギングプレートの底面の中央に近接する箇所に固定されるモータと、モータの近傍に設けられ、ベルトを押上げることにより、ベルトとジョギングプレートとの間にモータを組付けることができるロールと、を備え、モータが回転しているときには、偏心ブロックにより振動が発生し、上記の振動により、ジョギングしているユーザの体が刺激されて血行が良くなることを特徴とするジョギング式振動機能付き健康機である。
【０００６】
本考案の請求項２に記載のジョギング式振動機能付き健康機によると、支持ブロックは、アーチ型を呈してもよい。
【考案の効果】
【０００７】
本考案のジョギング式振動機能付き健康機によれば、運動とリハビリテーションの効果を有し、且つユーザの血行を加速する振動が発生するという効果を有する。
【図面の簡単な説明】
【０００８】
【図１】本考案の一実施形態の組合状態の斜視図である。
【図２】本考案の一実施形態の分解斜視図である。
【図３】本考案の一実施形態の一部の断面図である。
【図４】本考案の一実施形態の使用状態を示す模式図である。
【考案を実施するための形態】
【０００９】
以下、本考案の実施の形態を図面に基づいて説明する。
まず、図１から図４を参照する。本考案の一実施形態のジョギング式振動機能付き健康機は、フレーム１０と、モータ３０と、ロール６０と、を備える。
【００１０】
前記フレーム１０は、内側面には、距離を置くアーチ型支持ブロック１１が若干設けられ、前記各アーチ型支持ブロック１１の上には、ゴムブロック１２が設けられ、前記ゴムブロック１２の上には、ジョギングプレート２０が設けられる。
【００１１】
前記モータ３０は、その伝動軸３１には、偏心ブロック４０が設けられ、固定片５０により前記ジョギングプレート２０の底面の中央に近接する箇所に固定される。
【００１２】
前記ロールは、前記モータ３０の近傍に設けられ、ベルト７０を押上げることにより、前記ベルト７０と前記ジョギングプレート２０との間に前記モータ３０を組付けることができる。このような構成によれば、前記モータ３０が回転しているときには、前記偏心ブロック４０により振動が発生し、上記の振動により、ジョギングしているユーザの体が刺激されて血行が良くなる。
【００１３】
次に、本考案の一実施形態のジョギング式振動機能付き健康機の使用状態を説明する。ユーザがベルト７０の上でジョギングしているときには、前記モータ３０に駆動される偏心ブロック４０が回転し振動を発生し、上記の振動により、ジョギングしているユーザの体が刺激されて血行が良くなる。
【産業上の利用可能性】
【００１４】
本考案は、健康機に適用することができる。
【符号の説明】
【００１５】
１０      フレーム
１１      アーチ型支持ブロック
１２      ゴムブロック
２０      ジョギングプレート
３０      モータ
３１      伝動軸
４０      偏心ブロック
５０      固定片
６０      ロール
７０      ベルト
【図１】
0003155388.tif 000003
【図２】
0003155388.tif 000004
【図３】
0003155388.tif 000005
【図４】
0003155388.tif 000006
(57)【要約】      （修正有）【課題】腰回に比較的良好にフィットし、フィットしないことによる機能低下を防いだ帯状腰部サポーターを提供する。【解決手段】着用者の腰部に重ね合わせる本体部１と、該本体部１の両側に連設した伸縮部２，２´とで成る帯状体で構成し、着用時に、前記一方の伸縮部２の先端側内面に設けた面ファスナー雄片３ａを、他方の伸縮部２´の外面に設けた起毛状の面ファスナー雌材３ｂに止着するようにしてある。そして、本体部１に対して各伸縮部２，２´をその先端に至るに従い上昇傾斜する角度を持たせて連設して構成する。【選択図】図１
0003155355.tif 000002
【実用新案登録請求の範囲】
【請求項１】
着用者の腰部に重ね合わせる本体部と、該本体部の両側に連設した伸縮部とで成る帯状体で構成し、着用時に、前記一方の伸縮部の先端側内面に設けた面ファスナー雄片を、他方の伸縮部の外面に設けた起毛状の面ファスナー雌材に止着する腰部サポーターにおいて、前記本体部に対して前記各伸縮部をその先端に至るに従い上昇傾斜する角度を持たせて連設した、帯状腰部サポーター。
【考案の詳細な説明】
【技術分野】
【０００１】
本考案は、腰部に巻き付けて用いる帯状腰部サポーターに関するものである。
【背景技術】
【０００２】
着用者の腰部に重ね合わせる本体部と、該本体部の両側に連設した伸縮部とで成る帯状体で構成し、着用時に、前記一方の伸縮部の先端側内面に設けた面ファスナー雄片を、他方の伸縮部の外面に設けた起毛状の面ファスナー雌片に止着して用いるようにした構造の帯状腰部サポーターに知られている（例えば、特許文献１）。
【先行技術文献】
【特許文献】
【０００３】
【特許文献１】特開２００８−１９４１５０号公報
【考案の概要】
【考案が解決しようとする課題】
【０００４】
帯状腰部サポーターは、前記文献で示すように、長手方向に沿う各部が互いに略同幅で直線状に構成してあるので、前部から側部にかけての形状と、後部から側部にかけての形状が大きく異なる腰部に巻き付けたとき、必ずしも腰回にフィットせず、要部を固定したり、腰部の形を整えるために用いるサポーターとしての本来の機能が損われるときがある。
【０００５】
本考案は、斯様な従来例の欠点に着目し、腰回に比較的良好にフィットし、従って、フィットしないことによる機能低下を防いだ帯状腰部サポーター提供することを目的として創案したものである。
【課題を解決するための手段】
【０００６】
着用者の腰部に重ね合わせる本体部と、該本体部の両側に連設した伸縮部とで成る帯状体で構成し、着用時に、前記一方の伸縮部の先端側内面に設けた面ファスナー雄片を、他方の伸縮部の外面に設けた起毛状の面ファスナー雌材に止着する腰部サポーターにおいて、前記本体部に対して前記各伸縮部をその先端に至るに従い上昇傾斜する角度を持たせて連設した構成としたものである。
【考案の効果】
【０００７】
本考案によれば、腰回の腰部側に当てる本体部に対して腹部側に当てる伸縮部を角度を持たせてあるので、腰部のラインと腹部のラインの相違による不具合を吸収して腰回にフィットして身に付けられ、従って、本来の機能を果たすに好適な帯状腰部サポーターを提供できる。
【図面の簡単な説明】
【０００８】
【図１】一部を折り返した正面図。
【図２】身に付けた状態の正面図。
【図３】身に付ける直前の正面図。
【実施例】
【０００９】
本考案に係る帯状腰部サポーターＡは、本体部１と、該本体部１の両端にそれぞれ連設した伸縮部２，２´とで成る帯状体で構成し、本体部１を着用者の、腰回の腰部側に重ね合わせ、一方の伸縮部２の先端側内面に設けた面ファスナー雄片３ａを、他方の伸縮部２´の外面の略全域に設けた起毛状の面ファスナー雌材３ｂに止着して用いるようにしたものである。
【００１０】
本体部１と伸縮部２，２´は、長手方向（横方向）に伸縮する樹脂生地で成り（本体部１と伸縮部２，２´は同一素材で成るが、異にしても良い）、水平方向に延びる直線状の本体部１に対し、該本体部１の両側の伸縮部２，２´は末上り状に角度を持たせて（本体部１側の基部から自由端側の端末に至るに従って次第に上昇するように）連設し、連設部４，４には、縦長平板状の弾性片５を、本体部１と伸縮部２，２´との境界部に包み布を縫着して設けた密封室内に嵌入させて配置してある。
【００１１】
そして、腰回Ｂの腰部Ｂ´に本体部１を当て、本体部１と伸縮部２，２´の境界部に配した弾性片５を前記腰部Ｂ´と、腰回の腹部Ｂ´´の境界部周辺に配するようにして、本体部１に連設した伸縮部２，２´を腰部Ｂ´´に当てて、一方の伸縮部２に設けた面ファスナー雄片３ａを他方の伸縮部に設けた面ファスナー雌片３ｂに止着するようにして帯状腰部サポーターＡを用いるのである。
【符号の説明】
【００１２】
１          本体部
２，２´    伸縮部
３ａ        面ファスナー雄片
３ｂ        面ファスナー雌片
【図１】
0003155355.tif 000003
【図２】
0003155355.tif 000004
【図３】
0003155355.tif 000005